(57)【要約】      （修正有）【課題】複数のポイントが同じセルに属し、同一の物理層階層セルＩＤを有する多重ポイント伝送環境でも適用可能な無線通信システムを提供する。【解決手段】同じセルに属する第１送受信ポイント及び少なくとも１つの第２送受信ポイントを備えた無線通信システムで、第１送受信ポイント１３０は、少なくとも１つの第２送受信ポイント１５０の伝送領域１５１よりさらに広い伝送領域１３１を有する。第１送受信ポイント及び少なくとも１つの第２送受信ポイントは、同一の物理階層セルＩＤ又は端末別に割り当てた仮想セルＩＤを利用してダウンリンク伝送信号を生成する。端末は、割り当てられた仮想セルＩＤを利用してアップリンク伝送信号を生成する。【選択図】図１
2015181292.tif 000002
【特許請求の範囲】
【請求項１】
端末で行われ、伝送ポイントから制御情報を受信する方法であって、
前記伝送ポイントから仮想セルＩＤを獲得するステップと、
前記伝送ポイントから制御情報を受信するステップと、
前記獲得した仮想セルＩＤに基づいてスクランブリングシーケンスを生成するステップと、
前記生成したスクランブリングシーケンスに基づいて前記受信した制御情報のスクランブリングを行うステップと、
を備える方法。
【請求項２】
前記仮想セルＩＤは、前記端末のサービングセルの物理階層セルＩＤの代わりに適用される、請求項１に記載の方法。
【請求項３】
同じセル内の異なる端末は、異なる仮想セルＩＤが割り当てられている、請求項１に記載の方法。
【請求項４】
前記伝送ポイントは、同じセルに属する複数の伝送ポイントのうちの１つであり、前記複数の伝送ポイントは、同じ物理階層セルＩＤを有する、請求項１に記載の方法。
【請求項５】
前記制御情報は、ＰＤＣＣＨ（Ｐｈｙｓｉｃａｌ  Ｄｏｗｎｌｉｎｋ  Ｃｏｎｔｒｏｌ  Ｃｈａｎｎｅｌ）またはＲＲＨ（Ｒｅｍｏｔｅ  Ｒａｄｉｏ  Ｈｅａｄ）ＰＤＣＣＨを通じて受信される、請求項１に記載の方法。
【請求項６】
伝送ポイントで行われ、端末に対して制御情報を伝送する方法であって、
仮想セルＩＤに基づいて、スクランブリングシーケンスを生成するステップと、
前記スクランブリングシーケンスに基づいて、制御情報のスクランブリングを行うステップと、
前記端末に対して、前記スクランブルされた制御情報を伝送するステップと、
を備える方法。
【請求項７】
前記仮想セルＩＤは、前記端末のサービングセルの物理階層セルＩＤの代わりに適用される、請求項６に記載の方法。
【請求項８】
同じセル内の異なる端末は、異なる仮想セルＩＤが割り当てられている、請求項６に記載の方法。
【請求項９】
前記伝送ポイントは、同じセルに属する複数の伝送ポイントのうちの１つであり、前記複数の伝送ポイントは、同じ物理階層セルＩＤを有する、請求項６に記載の方法。
【請求項１０】
前記制御情報は、ＰＤＣＣＨ（Ｐｈｙｓｉｃａｌ  Ｄｏｗｎｌｉｎｋ  Ｃｏｎｔｒｏｌ  Ｃｈａｎｎｅｌ）またはＲＲＨ（Ｒｅｍｏｔｅ  Ｒａｄｉｏ  Ｈｅａｄ）ＰＤＣＣＨを通じて伝送される、請求項６に記載の方法。
【発明の詳細な説明】
【技術分野】
【０００１】
本発明は、無線通信システムに関し、より詳細には、セル内に地理的に互いに離れた複数の送受信ポイントを備えた無線通信システムに適用することができる多重送受信ポイントを使用する無線通信システムに関する。
【背景技術】
【０００２】
無線通信システムは、有線通信システムと共にデータ伝送率が超高速化されている。このような傾向に歩調をあわせて４世代移動通信システムである３ＧＰＰ（３ｒｄ  Ｇｅｎｅｒａｔｉｏｎ  Ｐｒｏｊｅｃｔ  Ｐａｒｔｎｅｒｓｈｉｐ）ＬＴＥ（Ｌｏｎｇ  Ｔｅｒｍ  Ｅｖｏｌｕｔｉｏｎ）−Ａｄｖａｎｃｅｄシステムは、協力多重ポイント（ＣｏＭＰ：Ｃｏｏｒｄｉｎａｔｅｄ  ＭｕｌｔｉＰｏｉｎｔ、以下、‘ＣｏＭＰ’という）送受信方法の標準化を推進している。
【０００３】
ＣｏＭＰ送受信方法は、２つ以上のポイント（サイト、セル、基地局、分散アンテナなど）と１つ以上の端末間の送受信動作を示すもので、ＣｏＭＰ送受信方法は、アップリンクＣｏＭＰ伝送とダウンリンクＣｏＭＰ伝送とに区分することができる。
【０００４】
アップリンクＣｏＭＰ伝送は、所定端末が互いに地理的に離れた複数のポイントで信号を伝送し、複数のポイントでは、端末から受信された信号を共同処理（ｊｏｉｎｔ  ｐｒｏｃｅｓｓｉｎｇ）する伝送方法である。アップリンクＣｏＭＰ伝送で、端末は、どんなネットワークノードから信号が伝送されたか、または受信された信号にどんな処理が行われたかについて認知する必要がなく、アップリンク伝送と関連してどんなダウンリンクシグナリングが提供されるかについてのみ把握すればよい。したがって、アップリンクＣｏＭＰ伝送は、無線インターフェースの規格に大きい変化なく導入されることができる。
【０００５】
ダウンリンクＣｏＭＰ伝送は、互いに地理的に離れた複数のポイントが互いに協業的に１つ以上の端末に信号を伝送する方法であって、３ＧＰＰ  ＴＲ  ３６．８１４では、ダウンリンクＣｏＭＰカテゴリーを共同処理（ＪＰ：Ｊｏｉｎｔ  Ｐｒｏｃｅｓｓｉｎｇ）と協力ビームフォーミング／協力スケジューリング（ＣＢ／ＣＳ：Ｃｏｏｒｄｉｎａｔｅｄ  Ｂｅａｍ  ｆｏｒｍｉｎｇ／Ｃｏｏｒｄｉｎａｔｅｄ  Ｓｃｈｅｄｕｌｉｎｇ）とに区分し、Ｊｏｉｎｔ  Ｐｒｏｃｅｓｓｉｎｇ（ＪＰ）は、さらにマルチポイント（ｍｕｌｔｉｐｌｅ  ｐｏｉｎｔｓ）でＰＤＳＣＨ（Ｐｈｙｓｉｃａｌ  Ｄｏｗｎｌｉｎｋ  Ｓｈａｒｅｄ  ＣＨａｎｎｅｌ）伝送を同時に行う場合を共同伝送（ＪＴ：Ｊｏｉｎｔ  Ｔｒａｎｓｍｉｓｓｉｏｎ）、１つのポイント（ｏｎｅ  ｐｏｉｎｔ）でＰＤＳＣＨ伝送を行う場合を動的ポイント選択（ＤＰＳ：Ｄｙｎａｍｉｃ  Ｐｏｉｎｔ  Ｓｅｌｅｃｔｉｏｎ）に区分している。
【０００６】
共同伝送（ＪＴ）は、ＣｏＭＰ協力集合（ＣｏＭＰ  ｃｏｏｐｅｒａｔｉｎｇ  ｓｅｔ）内の各伝送ポイントでデータ使用が可能な分散アンテナ概念であって、無線チャネルの情報を正確に把握しなければならないし、遅延及び予測エラーなどに起因して性能が非常に流動的であるという特徴がある。
【０００７】
動的ポイント選択（ＤＰＳ）方法は、特定瞬間にＣｏＭＰ協力集合内の１つのポイントでＰＤＳＣＨ伝送をする方法であって、伝送ポイントは、動的に変化することができ、フィードバック遅延によって性能が低下することができる。
【０００８】
協力ビームフォーミング／協力スケジューリング（ＣＢ／ＣＳ）方法は、特定瞬間にサービングポイント（ｓｅｒｖｉｎｇ  ｐｏｉｎｔ）だけでデータを端末に伝送する方法であって、伝送ポイント間の干渉を回避する受動的な方法であることから、大きい容量増大を期待することができず、ユーザスケジューリング／ビームフォーミングがＣｏＭＰ協力集合に相当するポイント間の協力が互いに異なる基地局間の情報交換を必要とする場合、バックホール（ｂａｃｋｈａｕｌ）を使用することができる。
【０００９】
一方、３ＧＰＰ  ＬＴＥ標準規格Ｒｅｌｅａｓｅ−８、Ｒｅｌｅａｓｅ−９及びＬＴＥ−Ａｄｖａｎｃｅｄ標準規格Ｒｅｌｅａｓｅ−１０では、すべての伝送ポイントが互いに異なる物理階層セルＩＤ（Ｐｈｙｓｉｃａｌ  Ｃｅｌｌ  Ｉｄｅｎｔｉｔｙ）を有することが一般的である。これにより、前記標準規格に前述したような多重ポイントを利用した伝送方式を適用すれば、多重ポイントを利用した伝送は、各伝送ポイントが独自のセル領域（ｃｅｌｌ  ｃｏｖｅｒａｇｅ）を有する環境で行われると見られる。
【００１０】
したがって、前述した従来の標準規格は、複数のポイントが同じセルに属し、同一の物理階層セルＩＤを有する多重ポイント伝送環境では適用することができないという問題がある。
【発明の概要】
【発明が解決しようとする課題】
【００１１】
前述したような不都合を克服するために、本発明の目的は、複数のポイントが同じセルに属し、同一の物理階層セルＩＤを有するネットワーク環境で複数のポイントを使用した通信を可能にする多重送受信ポイントを使用する無線通信システムを提供することにある。
【課題を解決するための手段】
【００１２】
上記目的を達成するために、本発明の一態様による多重送受信ポイントを使用する無線通信システムは、同じセルに属する第１送受信ポイント及び少なくとも１つの第２送受信ポイントを備えた無線通信システムで、前記第１送受信ポイントは、前記少なくとも１つの第２送受信ポイントよりさらに広い伝送領域を有し、前記第１送受信ポイント及び前記少なくとも１つの第２送受信ポイントは、同一の物理階層セルＩＤ（Ｐｈｙｓｉｃａｌ  Ｃｅｌｌ  Ｉｄｅｎｔｉｔｙ）を利用してダウンリンク伝送信号を生成する。
【００１３】
ここで、前記第１送受信ポイントは、前記物理階層セルＩＤに該当する同期信号及びセル固有参照信号を伝送することができ、前記少なくとも１つの第２送受信ポイントは、前記第１送受信ポイントが前記同期信号及びセル固有参照信号を伝送するのに使用した無線資源を利用して信号を伝送しなくてもよい。
【００１４】
ここで、前記第１送受信ポイント及び前記少なくとも１つの第２送受信ポイントは、前記物理階層セルＩＤを利用して生成したＣＳＩ参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）を伝送し、且つ前記ＣＳＩ参照信号の設定とこれに相当する無線資源のマッピングは、前記第１送受信ポイント及び前記少なくとも１つの第２送受信ポイントが互いに異なるように行うことができる。
【００１５】
ここで、前記第１送受信ポイント及び前記少なくとも１つの第２送受信ポイントは、前記物理階層セルＩＤを利用してＰＭＣＨ（Ｐｈｙｓｉｃａ  Ｍｕｌｔｉｃａｓｔ  Ｃｈａｎｎｅｌ）またはＭＢＳＦＮ参照信号（Ｍｕｔｉｃａｓｔ−Ｂｒｏａｄｃａｓｔ  Ｓｉｎｇｌｅ  Ｆｒｅｑｕｅｎｃｙ  Ｎｅｔｗｏｒｋ  Ｒｅｆｅｒｅｎｃｅ  Ｓｉｇｎａｌ）を生成し、同一の無線資源を利用してＰＭＣＨまたはＭＢＳＦＮ参照信号を伝送することができる。
【００１６】
ここで、前記第１送受信ポイントは、前記物理階層セルＩＤを利用して生成したＰＢＣＨ（Ｐｈｙｓｉｃａｌ  Ｂｒｏａｄｃａｓｔ  Ｃｈａｎｎｅｌ）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  Ｈｙｂｒｉｄ  ＡＲＱ  Ｉｎｄｉｃａｔｏｒ  Ｃｈａｎｎｅｌ）または位置参照信号（Ｐｏｓｉｔｉｏｎｉｎｇ  Ｒｅｆｅｒｅｎｃｅ  Ｓｉｇｎａｌ）を伝送することができ、前記少なくとも１つの第２送受信ポイントは、前記第１送受信ポイントが前記ＰＢＣＨ、ＰＣＦＩＣＨ、ＰＤＣＣＨ、ＰＨＩＣＨまたは位置参照信号を伝送するために使用する無線資源を利用して信号を伝送しないように構成されることができる。
【００１７】
ここで、前記第１送受信ポイント及び前記少なくとも１つの第２送受信ポイントは、同一の無線資源を利用して同時に前記ＰＢＣＨ、ＰＣＦＩＣＨ、ＰＤＣＣＨ、ＰＨＩＣＨ及び位置参照信号のうち少なくとも１つを伝送することができる。
【００１８】
また、本発明の他の態様による多重送受信ポイントを使用する無線通信システムは、基地局、前記基地局が運用する同じセルに属する第１送受信ポイント及び少なくとも１つの第２送受信ポイントを備えた無線通信システムで、前記第１送受信ポイントは、前記少なくとも１つの第２送受信ポイントよりさらに広い伝送領域を有し、前記第１送受信ポイント及び前記少なくとも１つの第２送受信ポイントは、端末に割り当てられた仮想セルＩＤを利用して前記端末に伝送する信号を生成する。
【００１９】
ここで、前記第１送受信ポイントは、前記仮想セルＩＤを利用して生成したＰＤＳＣＨ（Ｐｈｓｉｃａｌ  Ｄｏｗｎｌｉｎｋ  Ｓｈａｒｅｄ  Ｃｈａｎｎｅｌ）を前記端末に伝送することができ、前記少なくとも１つの第２送受信ポイントは、前記端末がＣＳＩ参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）及び端末固有参照信号（ＵＥ−ｓｐｅｃｉｆｉｃ  Ｒｅｆｅｒｅｎｃｅ  Ｓｉｇｎａｌ）を使用する場合、前記ＰＤＳＣＨ及び前記仮想セルＩＤを利用して生成した前記端末固有参照信号を前記端末に伝送することができる。
【００２０】
ここで、前記第１送受信ポイント及び前記少なくとも１つの第２送受信ポイントは、前記端末がセル固有参照信号（Ｃｅｌｌ−ｓｐｅｃｉｆｉｃ  Ｒｅｆｅｒｅｎｃｅ  Ｓｉｇｎａｌ）を使用する場合、ＰＤＳＣＨを同時に前記端末に伝送することができる。
【００２１】
ここで、前記第１送受信ポイント及び前記少なくとも１つの第２送受信ポイントは、前記端末にアンテナポート（ａｎｔｅｎｎａ  ｐｏｒｔ）５で伝送される信号の無線資源マッピングに前記仮想セルＩＤを利用して決定された無線資源を使用することができる。
【００２２】
ここで、前記第１送受信ポイント及び前記少なくとも１つの第２送受信ポイントは、前記仮想セルＩＤを利用してＰＤＣＣＨ及びＰＨＩＣＨ機能をそれぞれ行う物理チャネル及び位置参照信号を生成することができ、前記生成したＰＤＣＣＨ及びＰＨＩＣＨ機能をそれぞれ行う物理チャネルは、前記第１送受信ポイントがＰＤＳＣＨ伝送に使用することができる無線資源を利用して伝送することができる。
【００２３】
前記基地局は、前記端末から報告されたチャネル状態情報に基づいて前記端末に対する協力伝送を行った少なくとも１つの送受信ポイントで構成された協力ポイント集合を構成し、前記協力ポイント集合に含まれた少なくとも１つの送受信ポイントは、前記端末の仮想セルＩＤを利用して生成したＰＤＳＣＨを同一の無線資源を利用して前記端末に伝送することができ、前記端末の復調のための端末固有参照信号を前記ＰＤＳＣＨと同時に前記端末に伝送することができる。
【００２４】
また、本発明のさらに他の態様による多重送受信ポイントを使用する無線通信システムは、基地局、前記基地局が運用する同じセルに属する第１送受信ポイント及び少なくとも１つの第２送受信ポイントを備えた無線通信システムで、前記基地局は、前記第１送受信ポイント及び前記少なくとも１つの送受信ポイントのうち少なくとも１つの送受信ポイントで伝送するＣＳＩ参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）が含まれたＣＳＩ参照信号測定情報を前記端末に伝送し、前記端末から前記ＣＳＩ参照信号測定情報に相当するＣＳＩ参照信号に対する測定結果を受信した後、受信した前記測定結果に基づいて前記端末が測定しなければならない少なくとも１つのＣＳＩ参照信号パターンを前記端末に伝送する。
【００２５】
また、本発明のさらに他の態様による多重送受信ポイントを使用する無線通信システムは、基地局、前記基地局が運用する同じセルに属する第１送受信ポイント及び少なくとも１つの第２送受信ポイントを備えた無線通信システムで、少なくとも１つの端末が前記基地局からそれぞれ割り当てられた互いに異なる仮想セルＩＤを利用してアップリンクチャネル及び参照信号を生成した後、前記第１送受信ポイント及び前記少なくとも１つの第２送受信ポイントのうち少なくとも１つの送受信ポイントに伝送することができる。
【００２６】
ここで、前記少なくとも１つの端末それぞれは、割り当てられた互いに異なる仮想セルＩＤを利用してＰＵＳＣＨ（Ｐｈｙｓｉｃａｌ  Ｕｐｌｉｎｋ  Ｓｈａｒｅｄ  Ｃｈａｎｎｅｌ）、ＰＵＣＣＨ（Ｐｈｙｓｉｃａｌ  Ｕｐｌｉｎｋ  Ｃｏｎｔｒｏｌ  Ｃｈａｎｎｅｌ）、ＤＭＲＳ（Ｄｅｍｏｄｕｌａｔｉｏｎ  Ｒｅｆｅｒｅｎｃｅ  Ｓｉｇｎａｌ）及びＳＲＳ（Ｓｏｕｎｄｉｎｇ  Ｒｅｆｅｒｅｎｃｅ  Ｓｉｇｎａｌ）のうち少なくとも１つの信号を生成することができる。
【発明の効果】
【００２７】
前述したような多重送受信ポイントを使用する無線通信システムによれば、同じセル内に属する複数の送受信ポイントが同一の物理階層セルＩＤを有する通信環境で、複数の送受信ポイントを利用したダウンリンク通信のための物理チャネル伝送方法及び参照信号伝送方法を提供し、仮想セルＩＤを導入し、物理チャネル及び参照信号を伝送する方法を提供することによって、既存の標準規格に対する変更を最小化しながら、複数の送受信ポイントを利用した効率的な伝送を可能にする。
【００２８】
また、同じセル内に属する複数の送受信ポイントを利用した協力伝送方法を提供することによって、ダウンリンク通信効率を向上させることができる。
【００２９】
また、同じセル内に属する複数の送受信ポイントが同一の物理階層セルＩＤを有する通信環境で、複数の送受信ポイントを利用したアップリンク通信のために仮想セルＩＤを導入し、アップリンク物理チャネル及び参照信号伝送方法を提供することによって、既存の標準規格に対する変更を最小化しながら、アップリンク通信効率を向上させることができる。
【図面の簡単な説明】
【００３０】
【図１】図１は、本発明の一実施例による多重送受信ポイントを使用する無線通信システムを示す概念図である。
【図２】図２は、本発明の一実施例による多重送受信ポイントを使用する無線通信システムのダウンリンク通信方法を示す。
【図３】図３は、本発明の一実施例による多重送受信ポイントを使用するダウンリンク伝送で仮想セルＩＤの使用例を説明するための流れ図である。
【図４】図４は、本発明の一実施例による多重送受信ポイントを使用するダウンリンク通信方法のうちＣＳＩ参照信号基盤測定過程を示す流れ図である。
【図５】図５は、本発明の一実施例による多重送受信ポイントを使用するダウンリンク通信方法で協力多重ポイント伝送を行う過程を示す流れ図である。
【発明を実施するための形態】
【００３１】
本発明は、多様な変更を行うことができ、さまざまな実施例を有することができるところ、特定の実施例を図面に例示し、詳細に説明する。
【００３２】
しかし、これは、本発明を特定の実施形態に限定しようとするものではなく、本発明の思想及び技術範囲に含まれるすべての変更、均等物ないし代替物を含むものと理解しなければならない。
【００３３】
本出願において使用した用語は、ただ特定の実施例を説明するために使用されたもので、本発明を限定しようとする意図ではない。単数の表現は、文脈上明白に異なって意味しない限り、複数の表現を含む。本出願において、「含む」または「有する」などの用語は、明細書上に記載した特徴、数字、段階、動作、構成要素、部品またはこれらを組み合わせたものが存在することを指定しようとするものであって、１つまたはそれ以上の他の特徴や数字、段階、動作、構成要素、部品またはこれらを組み合わせたものの存在または付加可能性をあらかじめ排除しないものと理解しなければならない。
【００３４】
異なって定義されない限り、技術的または科学的な用語を含んでここで使用されるすべての用語は、本発明の属する技術分野における通常の知識を有する者によって一般的に理解されるものと同一の意味を有している。一般的に使用される辞書に定義されているもののような用語は、関連技術の文脈上有する意味と一致する意味を有するものと解釈しなければならないし、本出願において明白に定義しない限り、理想的または過度に形式的な意味として解釈されない。
【００３５】
本出願で使用する‘端末’は、移動局（ＭＳ：Ｍｏｂｉｌｅ  Ｓｔａｔｉｏｎ）、移動端末（ＭＴ：ＭｏｂｉｌｅＴｅｒｍｉｎａｌ）、ユーザ端末、ユーザ装備（ＵＥ：Ｕｓｅｒ  Ｅｑｕｉｐｍｅｎｔ）、ユーザターミナル（ＵＴ：Ｕｓｅｒ  Ｔｅｒｍｉｎａｌ）、無線ターミナル、アクセスターミナル（ＡＴ）、加入者ユニット（Ｓｕｂｓｃｒｉｂｅｒ
Ｕｎｉｔ）、加入者スチーション（ＳＳ：Ｓｕｂｓｃｒｉｂｅｒ  Ｓｔａｔｉｏｎ）、無線機器（Ｗｉｒｅｌｅｓｓ  ｄｅｖｉｃｅ）、無線通信デバイス、無線送受信ユニット（ＷＴＲＵ：Ｗｉｒｅｌｅｓｓ  Ｔｒａｎｓｍｉｔ／Ｒｅｃｅｉｖｅ  Ｕｎｉｔ）、移動ノード、モバイルまたは他の用語と称されることができる。
【００３６】
また、本出願で使用する‘基地局’は、一般的に端末と通信する固定された地点を言い、ベーススチーション（Ｂａｓｅ  Ｓｔａｔｉｏｎ）、ノード−Ｂ（Ｎｏｄｅ−Ｂ）、ｅノード−Ｂ（ｅＮｏｄｅ−Ｂ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）など他の用語と呼ばれることができる。
【００３７】
また、本出願で使用する‘ポイント（ｐｏｉｎｔ）’または‘送受信ポイント’は、少なくとも１つの送信及び受信アンテナを備え、基地局と光ファイバ、マイクロウエーブなどで連結され、基地局と情報を取り交わすことができる送受信装置であって、ＲＲＨ（Ｒｅｍｏｔｅ  Ｒａｄｉｏ  Ｈｅａｄ）、ＲＲＵ（Ｒｅｍｏｔｅ  Ｒａｄｉｏ  Ｕｎｉｔ）、サイト、分散アンテナなどと呼ばれることができる。
【００３８】
以下、添付の図面を参照して、本発明の好ましい実施例をさらに詳細に説明する。以下、図面上の同一の構成要素については、同一の参照符号を使用し、同一の構成要素について重複説明を省略する。
【００３９】
図１は、本発明の一実施例による多重送受信ポイントを使用する無線通信システムを示す概念図である。
【００４０】
図１を参照すれば、本発明の一実施例による無線通信システムは、基地局１１０、広域送受信ポイント１３０及び狭域送受信ポイント１５０を含むことができ、広域送受信ポイント１３０及び少なくとも１つの狭域送受信ポイント１５０は、基地局１１０が運用するセル１１１内に位置することができる。広域送受信ポイント１３０は、高い伝送電力を利用して広い伝送領域（ｃｏｖｅｒａｇｅ）１３１を形成し、狭域送受信ポイント１５０は、広域送受信ポイント１３０より低い伝送電力を利用して広域送受信ポイント１３０の伝送領域１３１より狭い伝送領域１５１を形成することができる。
【００４１】
また、図１に示されたように、複数の狭域送受信ポイント１５０それぞれの伝送領域１５１は、広域送受信ポイント１３０の伝送領域１３１に含まれるように配置されることができ、複数の狭域送受信ポイントは、広域送受信ポイント１３０と無線または有線で連結され、制御情報及び／またはデータを取り交わすことができる。また、複数の狭域送受信ポイント１５０及び広域送受信ポイント１３０は、基地局１１０と光ファイバ、マイクロウェーブなどを通じて連結され、基地局１１０と情報を取り交わすことができ、基地局１１０を通じて互いに異なる送受信ポイントと情報を交換することもできる。
【００４２】
図１に示されたような無線通信システムで各送受信ポイント１３０、１５０の物理階層セルＩＤ（ＰＣＩ：Ｐｈｙｓｉｃａｌ  Ｃｅｌｌ  Ｉｄｅｎｔｉｔｙ）割り当て方式は、２つの方式を考慮することができる。
【００４３】
一番目の物理階層セルＩＤ割り当て方式は、すべての送受信ポイント１３０、１５０が互いに異なる物理階層セルＩＤを有するように割り当てる方式であって、各送受信ポイント１３０、１５０が独自のセル領域（ｃｅｌｌ  ｃｏｖｅｒａｇｅ）を構成するようになる。３ＧＰＰＬＴＥ  Ｒｅｌｅａｓｅ−８、Ｒｅｌｅａｓｅ−９、ＬＴＥ−Ａｄｖａｎｃｅｄ  Ｒｅｌｅａｓｅ−１０規格は、前記一番目の方式に適用されて使用されることができる。
【００４４】
二番目の物理階層セルＩＤ割り当て方式は、同じセルに属するすべての送受信ポイント１３０、１５０に同一の物理階層セルＩＤを割り当てる方式であって、前述した既存の３ＧＰＰＬＴＥまたはＬＴＥ−Ａｄｖａｎｃｅｄ規格は、二番目の方式に適用することができない。
【００４５】
本発明の一実施例による多重送受信ポイントを使用する無線通信システムでは、すべての送受信ポイントが同じセルに属し、同じセルＩＤが割り当てられた場合、送受信ポイントの通信のためのダウンリンク（ｄｏｗｎｌｉｎｋ）通信方法及びアップリンク（ｕｐｌｉｎｋ）通信方法を提供する。以下、本発明の実施例において基地局と端末の通信は、３ＧＰＰ  ＬＴＥ−Ａｄｖａｎｃｅｄ  Ｒｅｌｅａｓｅ−１０規格に従うものと仮定する。
【００４６】
まず、本発明の一実施例による多重送受信ポイントを使用するダウンリンク通信方法を説明する。
【００４７】
図２は、本発明の一実施例による多重送受信ポイントを使用する無線通信システムのダウンリンク通信方法を示す。
【００４８】
以下、図２を参照して本発明の一実施例による多重送受信ポイントを使用する無線通信システムのダウンリンク通信方法をそれぞれのダウンリンク物理チャネル及び参照信号別に詳細に説明する。
【００４９】
フレーム同期
本発明の一実施例による多重送受信ポイントを利用したダウンリンク通信方法では、すべての送受信ポイントが伝送するラジオフレーム（ｒａｄｉｏ  ｆｒａｍｅ）が互いに同期が合わせられていると仮定する。また、すべてのラジオフレームの同期が合わせられているので、ラジオフレームを構成するサブフレーム（ｓｕｂｆｒａｍｅ）とＯＦＤＭシンボル（ｓｙｍｂｏｌ）の同期も合わせられているものと仮定する。
【００５０】
同期信号及びセル固有参照信号
本発明の一実施例による多重送受信ポイントを使用するダウンリンク通信方法で同期信号（ｓｙｎｃｈｒｏｎｉｚａｔｉｏｎ  ｓｉｇｎａｌ）及びセル固有参照信号（Ｃｅｌｌ−Ｓｐｅｃｉｆｉｃ  Ｒｅｆｅｒｅｎｃｅ  Ｓｉｇｎａｌ）を伝送する方法は、大きく２つを考慮することができる。ここで、セル固有参照信号は、端末がダウンリンクチャネルを推定し、これに基づいて受信した信号の復調を行うために使用される。
【００５１】
一番目の方法は、送受信ポイントのうち特定送受信ポイント（例えば、広域送受信ポイント）が自分が備えた伝送アンテナを利用して物理階層セルＩＤに該当する同期信号とセル固有参照信号を伝送し、他の送受信ポイント（例えば、狭域送受信ポイント）は、前記特定送受信ポイントが同期信号とセル固有参照信号を伝送するのに使用した無線資源を利用して信号を伝送しない方法である。
【００５２】
二番目の方法は、すべての送受信ポイントが物理階層セルＩＤに該当する同期信号とセル固有参照信号を同一の無線資源を利用して同時に伝送する方法である。
【００５３】
ここで、無線資源は、３ＧＰＰ  ＬＴＥ及びＬＴＥ−Ａｄｖａｎｃｅｄ標準規格に定義されている時間−周波数空間の資源元素（Ｒｅｓｏｕｒｃｅ  Ｅｌｅｍｅｎｔ）を意味する。
【００５４】
ＣＳＩ参照信号
各送受信ポイントは、自分のＣＳＩ参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）を伝送することができる。ここで、ＣＳＩ参照信号は、端末がダウンリンクチャネルの品質を測定するために使用する参照信号であって、各送受信ポイントが伝送するＣＳＩ参照信号の設定とこれに相当する無線資源のマッピングは、互いに異なることができる。また、各送受信ポイントが自分のＣＳＩ参照信号を伝送するときに使用するＣＳＩ参照信号シーケンスは、物理階層セルＩＤを利用して生成することができる。
【００５５】
Ｐｈｙｓｉｃａｌ  Ｍｕｔｉｃａｓｔ  Ｃｈａｎｎｅｌ  ｏｒ  ＰＭＣＨ
同じセル内に属する各送受信ポイントは、いずれも同一の無線資源を利用してＰＭＣＨを伝送することができる。ここで、ＰＭＣＨは、ＭＢＳＦＮ（Ｍｕｌｔｉｃａｓｔ−Ｂｒｏａｄｃａｓｔ  Ｓｉｎｇｌｅ  Ｆｒｅｑｕｅｎｃｙ  Ｎｅｔｗｏｒｋ）動作のために使用される物理チャネルを意味する。
【００５６】
Ｐｈｙｓｉｃａｌ  Ｂｒｏａｄｃａｓｔ  Ｃｈａｎｎｅｌ  ｏｒ  ＰＢＣＨ
ＰＢＣＨは、端末がネットワークに接続するのに必要なシステム情報を伝送するために使用される物理チャネルであって、本発明の一実施例による多重送受信ポイントを使用するダウンリンク通信方法では、ＰＢＣＨを伝送する２つの方法を提供する。
【００５７】
一番目の方法は、広域送受信ポイントがＰＢＣＨを伝送する方法である。ここで、広域送受信ポイントは、ＰＢＣＨ伝送時にビット単位スクランブリング（ｂｉｔ−ｌｅｖｅｌ
ｓｃｒａｍｂｌｉｎｇ）のためのスクランブリングシーケンス（ｓｃｒａｍｂｌｅ  ｓｅｑｕｅｎｃｅ）の生成にＬＴＥ及びＬＴＥ−Ａｄｖａｎｃｅｄ標準規格に定義された方式のように物理階層セルＩＤを使用する。一方、少なくとも１つの狭域送受信ポイントは、広域送受信ポイントがＰＢＣＨを伝送するために使用する無線資源を利用して信号を伝送しない。
【００５８】
二番目の方法は、同じセルに属するすべての送受信ポイントが同時に同一のＰＢＣＨを同一の無線資源を利用して伝送する方法である。ここで、各送受信ポイントは、ＰＢＣＨ伝送時にビット単位スクランブリングのためのスクランブリングシーケンスの生成にＬＴＥ及びＬＴＥ−Ａｄｖａｎｃｅｄ標準規格に定義された方式のように物理階層セルＩＤを使用する。
【００５９】
Ｐｈｙｓｉｃａｌ  Ｃｏｎｔｒｏｌ  Ｆｏｒｍａｔ  Ｉｎｄｉｃａｔｏｒ  Ｃｈａｎｎｅｌ  ｏｒ  ＰＣＦＩＣＨ
ＰＣＦＩＣＨは、端末にＰＤＣＣＨ（Ｐｈｙｓｉｃａｌ  Ｄｏｗｎｌｉｎｋ  Ｃｏｎｔｒｏｌ  Ｃｈａｎｎｅｌ）をデコーディングするのに必要な情報を提供するために使用されるダウンリンク物理チャネルであって、本発明の一実施例による多重送受信ポイントを使用するダウンリンク通信方法では、ＰＣＦＩＣＨを伝送する２つの方法を提供する。
【００６０】
一番目の方法は、広域送受信ポイントがＰＣＦＩＣＨを伝送する方法である。ここで、広域送受信ポイントは、ＰＣＦＩＣＨ伝送のための無線資源マッピングとビット単位スクランブリングのためのスクランブリングシーケンスの生成にＬＴＥ及びＬＴＥ−Ａｄｖａｎｃｅｄ標準規格に定義された方式のように物理階層セルＩＤを使用する。一方、少なくとも１つの狭域送受信ポイントは、広域送受信ポイントがＰＣＦＩＣＨを伝送するために使用する無線資源を利用して信号を伝送しない。
【００６１】
二番目の方法は、同じセルに属するすべての送受信ポイントが同時に同一のＰＣＦＩＣＨを同一の無線資源を利用して伝送する方法である。ここで、各送受信ポイントは、ＰＣＦＩＣＨ伝送時にビット単位スクランブリングのためのスクランブリングシーケンスの生成にＬＴＥ及びＬＴＥ−Ａｄｖａｎｃｅｄ標準規格に定義された方式のように物理階層セルＩＤを使用する。
【００６２】
Ｐｈｙｓｉｃａｌ  Ｄｏｗｎｌｉｎｋ  Ｃｏｎｔｒｏｌ  Ｃｈａｎｎｅｌ  ｏｒ  ＰＤＣＣＨ
ＰＤＣＣＨは、端末がＰＤＳＣＨ（Ｐｈｙｓｉｃａｌ  Ｄｏｗｎｌｉｎｋ  Ｓｈａｒｅｄ  Ｃｈａｎｎｅｌ）の受信に必要なスケジューリング割り当て（ｓｃｈｅｄｕｌｉｎｇ
ａｓｓｉｇｎｍｅｎｔ）などのダウンリンク制御情報と端末のＰＵＳＣＨ（Ｐｈｙｓｉｃａｌ  Ｕｐｌｉｎｋ  Ｓｈａｒｅｄ  Ｃｈａｎｎｅｌ）伝送のためのスケジューリング承認（ｓｃｈｅｄｕｌｉｎｇ  ｇｒａｎｔ）などの情報を伝送するために使用されるダウンリンク物理チャネルである。
【００６３】
本発明の一実施例による多重送受信ポイントを使用するダウンリンク通信方法では、ＰＤＣＣＨを伝送する２つの方法を提供する。
【００６４】
一番目の方法は、広域送受信ポイントがＰＤＣＣＨを伝送する方法である。ここで、広域送受信ポイントは、ＰＤＣＣＨ伝送時に無線資源のマッピングとビット単位スクランブリングのためのスクランブリングシーケンスの生成にＬＴＥ及びＬＴＥ−Ａｄｖａｎｃｅｄ標準規格に定義された方式のように物理階層セルＩＤを使用する。一方、少なくとも１つの狭域送受信ポイントは広域送受信ポイントがＰＤＣＣＨを伝送するために使用する無線資源を利用して信号を伝送しない。
【００６５】
二番目の方法は、同じセルに属するすべての送受信ポイントが同時に同一のＰＤＣＣＨを同一の無線資源を利用して伝送する方法である。ここで、各送受信ポイントは、ＰＤＣＣＨ伝送時にビット単位スクランブリングのためのスクランブリングシーケンスの生成にＬＴＥ及びＬＴＥ−Ａｄｖａｎｃｅｄ標準規格に定義された方式のように物理階層セルＩＤを使用する。
【００６６】
Ｐｈｙｓｉｃａｌ  Ｈｙｂｒｉｄ  ＡＲＱ  Ｉｎｄｉｃａｔｏｒ  Ｃｈａｎｎｅｌ  ｏｒ  ＰＨＩＣＨ
ＰＨＩＣＨは、端末に伝送ブロック（ｔｒａｎｓｐｏｒｔ  ｂｌｏｃｋ）の再伝送実行可否を通知するためのＨＡＲＱ  ａｃｋｎｏｗｌｅｄｇｅｍｅｎｔを伝送するために使用されるダウンリンク物理チャネルである。
【００６７】
本発明の一実施例による多重送受信ポイントを使用するダウンリンク通信方法では、ＰＨＩＣＨを伝送する２つの方法を提供する。
【００６８】
一番目の方法は、広域送受信ポイントがＰＨＩＣＨを伝送する方法である。ここで、広域送受信ポイントは、ＰＨＩＣＨ伝送時にセル固有スクランブリングシーケンス（Ｃｅｌｌ−ｓｐｅｃｉｆｉｃ  Ｓｃｒａｍｂｌｉｎｇ  Ｓｅｑｕｅｎｃｅ）生成にＬＴＥ及びＬＴＥ−Ａｄｖａｎｃｅｄ標準規格に定義された方式のように物理階層セルＩＤを使用する。一方、少なくとも１つの狭域送受信ポイントは、広域送受信ポイントがＰＨＩＣＨを伝送するために使用する無線資源を利用して信号を伝送しない。
【００６９】
二番目の方法は、同じセルに属するすべての送受信ポイントが同時に同一のＰＨＩＣＨを同一の無線資源を利用して伝送する方法である。ここで、各送受信ポイントは、ＰＨＩＣＨ伝送時にビット単位スクランブリングのためのスクランブリングシーケンスの生成にＬＴＥ及びＬＴＥ−Ａｄｖａｎｃｅｄ標準規格に定義された方式のように物理階層セルＩＤを使用する。
【００７０】
ＭＢＳＦＮ参照信号
ＭＢＳＦＮ参照信号（ＭＢＳＦＮ  Ｒｅｆｅｒｅｎｃｅ  Ｓｉｇｎａｌ）は、端末がＭＢＳＦＮデータを伝送する各送受信ポイントの合成（ｃｏｍｐｏｓｉｔｅ）チャネルを測定するために使用される参照信号である。本発明の一実施例による多重送受信ポイントを使用するダウンリンク通信方法では、各送受信ポイントがＭＢＳＦＮ参照信号を伝送することができる。ここで、各送受信ポイントがＭＢＳＦＮ参照信号を伝送するのに使用する無線資源とシーケンスは、同一であることができる。
【００７１】
位置参照信号
位置参照信号（ＰＲＳ：Ｐｏｓｉｔｉｏｎｉｎｇ  Ｒｅｆｅｒｅｎｃｅ  Ｓｉｇｎａｌ）は、基地局及び／または送受信ポイントが端末の位置推定を効果的に行うために伝送する信号であって、端末は、位置参照信号を測定し、測定された値に基づいて自分の位置を計算し、基地局及び／または送受信ポイントに伝送するか、または端末の位置を計算するのに必要な情報を伝送することによって、基地局及び／または送受信ポイントが端末の位置を判断するようにする。
【００７２】
本発明の一実施例による多重送受信ポイントを使用するダウンリンク通信方法では、位置参照信号を伝送する２つの方法を提供する。
【００７３】
一番目の方法は、広域送受信ポイントが位置参照信号を伝送する方法である。ここで、広域送受信ポイントは、位置参照信号のシーケンス生成と位置参照信号の無線資源マッピングにＬＴＥ−Ａｄｖａｎｃｅｄ標準規格に定義された方式のように物理階層セルＩＤを使用する。一方、少なくとも１つの狭域送受信ポイントは、広域送受信ポイントが位置参照信号を伝送するために使用する無線資源を利用して信号を伝送しない。
【００７４】
二番目の方法は、同じセルに属するすべての送受信ポイントが同時に同一の位置参照信号を同一の無線資源を利用して伝送する方法である。ここで、各送受信ポイントは、位置参照信号のシーケンス生成と位置参照信号の無線資源マッピングにＬＴＥ−Ａｄｖａｎｃｅｄ標準規格に定義された方式のように物理階層セルＩＤを使用する。
【００７５】
仮想セルＩＤ導入
本発明の一実施例による多重送受信ポイントを使用するダウンリンク通信方法では、ＬＴＥ−Ａｄｖａｎｃｅｄ  Ｒｅｌｅａｓｅ−１１またはその以後の標準規格を支援する端末のために複数の送受信ポイントが同じセルに属するネットワーク配置環境で仮想セルＩＤを導入する。
【００７６】
ＬＴＥ−Ａｄｖａｎｃｅｄ  Ｒｅｌｅａｓｅ−１０標準規格では、端末固有参照信号（ＵＥ−ｓｐｅｃｉｆｉｃ  Ｒｅｆｅｒｅｎｃｅ  Ｓｉｇｎａｌ）に使用される参照信号シーケンスは、疑似ランダムシーケンスであって、疑似ランダムシーケンス生成に使用される初期化値は、物理階層セルＩＤによって異なるものと定義している。したがって、物理階層セルＩＤが互いに異なるセルは、互いに異なる疑似ランダムシーケンスを参照信号シーケンスとして使用するようになる。このように互いに異なるセルが互いに異なる物理階層セルＩＤを使用し、互いに異なる疑似ランダムシーケンスを生成するようにする理由は、セル間の干渉（Ｉｎｔｅｒ−Ｃｅｌｌ  Ｉｎｔｅｒｆｅｒｅｎｃｅ）を緩和するためである。特に、アンテナポート７、８、９、１０、１１、１２、１３、１４に該当する参照信号の場合、すべてのセルが同一の無線資源を使用するので、隣接セルから伝送される参照信号による干渉信号を緩和するために隣接セル間に互いに異なる参照信号シーケンスを使用する必要がある。
【００７７】
一方、図１に示されたように、多重送受信ポイントを使用する伝送環境で複数の送受信ポイントが同一の資源を利用して互いに異なるデータを伝送する場合、互いに隣合う送受信ポイントが伝送した信号の干渉を緩和するために送受信ポイント間に互いに異なる参照信号シーケンスを使用する必要がある。
【００７８】
前述したように、送受信ポイントが互いに異なる参照信号を使用するためには、各送受信ポイントが端末固有参照信号シーケンス生成に使用される疑似ランダムシーケンスを生成するとき、互いに異なる初期化値を使用することが好ましい。
【００７９】
図３は、本発明の一実施例による多重送受信ポイントを使用するダウンリンク伝送で仮想セルＩＤの使用例を説明するための流れ図である。
【００８０】
図３を参照すれば、まず、基地局１１０は、各端末１７１、１７３別に仮想セルＩＤを通知する（段階Ｓ３１０）。
【００８１】
その後、基地局１１０は、仮想セルＩＤを物理階層セルＩＤの代わりに適用し、疑似ランダムシーケンスを発生させて参照信号シーケンスを生成し（段階Ｓ３２０）、生成した参照信号シーケンスを利用して各端末１７１、１７３の固有参照信号を生成した後（段階Ｓ３３０）、生成した各端末１７１、１７３の固有参照信号を当該端末に伝送する（段階Ｓ３４０）。ここで、仮想セルＩＤは、端末別に互いに異なる値が割り当てられることができる。
【００８２】
各端末１７１、１７３は、基地局１１０から割り当てられた仮想セルＩＤを利用して参照信号シーケンスを生成し（段階Ｓ３５０）、生成した参照信号シーケンスを利用して端末固有参照信号を検出する（段階Ｓ３６０）。
【００８３】
ＰＤＳＣＨ伝送の場合、基地局は、各コードワードのビット単位スクランブリングに使用するスクランブリングシーケンスを生成するために物理階層セルＩＤの代わりに仮想セルＩＤを適用し、疑似ランダムシーケンスを生成することができる。この場合、端末は、基地局から割り当てられた仮想セルＩＤを利用してスクランブリングシーケンスを生成した後、生成したスクランブリングシーケンスを利用してＰＤＳＣＨ検出を行う。
【００８４】
以下、本発明の一実施例による多重送受信ポイントを使用するダウンリンク通信方法で仮想セルＩＤを使用する方法をさらに詳細に説明する。
【００８５】
Ｐｈｙｓｉｃａｌ  Ｄｏｗｎｌｉｎｋ  Ｓｈａｒｅｄ  Ｃｈａｎｎｅｌ  ｏｒ  ＰＤＳＣＨ
ＬＴＥまたはＬＴＥ−ＡｄｖａｎｃｅｄのＲｅｌｅａｓｅ−８／９／１０標準規格を支援する端末の場合、各コードワードのビット単位スクランブリングに使用するスクランブリングシーケンスは、物理階層セルＩＤを利用して疑似ランダムシーケンスを発生させてスクランブリングシーケンスを生成する。
【００８６】
ＬＴＥ−ＡｄｖａｎｃｅｄのＲｅｌｅａｓｅ−１１及びその以後の標準規格を支援する端末の場合、仮想セルＩＤを割り当てられた端末には、物理階層セルＩＤの代わりに仮想セルＩＤを利用してスクランブリングシーケンスを生成する。
【００８７】
または、ＬＴＥ−ＡｄｖａｎｃｅｄのＲｅｌｅａｓｅ−１１及びその以後の標準規格を支援する端末が仮想セルＩＤを割り当てられない場合には、物理階層セルＩＤを利用してスクランブリングシーケンスを生成することができる。例えば、端末が網に接続するためにランダムアクセスを行う過程では、端末がまだ仮想セルＩＤを割り当てられない状態なので、基地局は、端末のランダムアクセスに対する応答及びメッセージ伝送に物理階層セルＩＤを適用してスクランブリングシーケンスを生成した後、生成されたスクランブリングシーケンスを利用して符号化されたコードワードのビット単位スクランブリングを行う。
【００８８】
本発明の一実施例による多重送受信ポイントを使用するダウンリンク通信方法では、ＰＤＳＣＨを伝送する２つの方法を提供する。
【００８９】
一番目の方法は、広域送受信ポイントがＰＤＳＣＨを伝送する方法である。端末は、伝送モード（ｔｒａｎｓｍｉｓｓｉｏｎ  ｍｏｄｅ）によってセル固有参照信号（ＣＲＳ：Ｃｅｌｌ−ｓｐｅｃｉｆｉｃ  Ｒｅｆｅｒｅｎｃｅ  Ｓｉｇｎａｌ）を使用するか、または端末固有参照信号（ＵＥ−ｓｐｅｃｉｆｉｃ  Ｒｅｆｅｒｅｎｃｅ  Ｓｉｇｎａｌ）を利用して、広域送受信ポイントから受信したＰＤＳＣＨを復調することができる。
【００９０】
一方、少なくとも１つの狭域送受信ポイントは、端末がＣＳＩ参照信号（ＣＳＩ−ＲＳ）を利用してチャネル推定及びＣＱＩ（Ｃｈａｎｎｅｌ  Ｑｕａｌｉｔｙ  Ｉｎｄｉｃａｔｉｏｒ）情報を獲得し、端末固有参照信号を利用してデータ復調を行う伝送モードに設定された場合には、当該端末にＰＤＳＣＨと端末固有参照信号を伝送することができる。
【００９１】
または、少なくとも１つの狭域送受信ポイントは、端末がセル固有参照信号（ＣＲＳ）を利用してチャネル推定及びＣＱＩ情報を獲得し、データ復調を行う伝送モードに設定された場合には、当該端末にＰＤＳＣＨを伝送しない。これは、一番目の方法では、少なくとも１つの狭域送受信ポイントが端末にセル固有参照信号（ＣＲＳ）を伝送しないからである。
【００９２】
二番目の方法は、端末がＣＳＩ参照信号を利用してチャネル推定とＣＱＩ情報を獲得し、端末固有参照信号を利用してデータ復調を行う伝送モードに設定された場合、同じセルに属するそれぞれの送受信ポイントが当該端末にＰＤＳＣＨと端末固有参照信号を伝送する方法である。
【００９３】
または、セル固有参照信号を利用してチャネル推定とＣＱＩ情報を獲得し、データ復調を行う伝送モードに設定された場合には、同じセルに属するすべての送受信ポイントが同一のＰＤＳＣＨを同時に端末に伝送する。
【００９４】
端末固有参照信号
同じセルに属する各送受信ポイントは、それぞれＰＤＳＣＨとともに端末固有参照信号を伝送することができる。
【００９５】
ここで、各送受信ポイントは、仮想セルＩＤを割り当てた端末には、物理階層セルＩＤの代わりに、仮想セルＩＤを利用して端末固有参照信号シーケンスを生成して伝送し、これを受信した端末は、割り当てられた仮想セルＩＤを利用して生成した参照信号シーケンスを利用して端末固有参照信号を検出する。
【００９６】
また、各送受信ポイントは、仮想セルＩＤを割り当てた端末には、物理階層セルＩＤの代わりに、仮想セルＩＤを利用して端末固有参照信号シーケンスを生成して伝送し、これを受信した端末は、仮想セルＩＤを利用して参照信号シーケンスを生成し、端末固有参照信号を検出する。
【００９７】
また、各送受信ポイントは、仮想セルＩＤを割り当てた端末には、アンテナポート（Ａｎｔｅｎｎａ  Ｐｏｒｔ）５で伝送される信号（例えば、端末固有参照信号）の無線資源マッピングに物理階層セルＩＤの代わりに仮想セルＩＤを利用して決定された無線資源を使用する。
【００９８】
または、各送受信ポイントは、仮想セルＩＤを割り当てられない端末には、物理階層セルＩＤを利用して端末固有参照信号シーケンスを生成して伝送し、これを受信した端末は、物理階層セルＩＤを利用して生成したレファレンス信号シーケンスを利用して端末固有参照信号を検出する。
【００９９】
また、各送受信ポイントは、仮想セルＩＤを割り当てられない端末には、アンテナポート５で伝送される信号に対する無線資源マッピングに物理階層セルＩＤを利用して決定された無線資源を使用する。
【０１００】
ＲＲＨ−ＰＤＣＣＨとＲＲＨ−ＰＨＩＣＨの導入
本発明の一実施例による多重送受信ポイントを使用するダウンリンク通信方法では、同じセルに属する各送受信ポイントがＬＴＥまたはＬＴＥ−Ａｄｖａｎｃｅｄ標準規格に定義されたＰＤＣＣＨ及びＰＨＩＣＨの機能をそれぞれ行うことができる新しい物理チャネルを導入する。
【０１０１】
本発明の一実施例では、ＰＤＣＣＨの機能を行うことができる新しい物理チャネルをＲＲＨ−ＰＤＣＣＨと称し、ＰＨＩＣＨ機能を行うことができる新しい物理チャネルをＲＲＨ−ＰＨＩＣＨと称する。
【０１０２】
同じセルに属する各送受信ポイントは、端末がＲＲＨ−ＰＤＣＣＨとＲＲＨ−ＰＨＩＣＨを復調することができるようにＲＲＨ−ＰＤＣＣＨ及びＲＲＨ−ＰＨＩＣＨと端末固有参照信号を一緒に伝送する。ここで、ＲＲＨ−ＰＤＣＣＨとＲＲＨ−ＰＨＩＣＨは、広域送受信ポイントがＰＤＳＣＨ伝送に使用することができる無線資源のうち一部を利用して伝送されることができる。
【０１０３】
また、各送受信ポイントは、ＲＲＨ−ＰＤＣＣＨとＲＲＨ−ＰＨＩＣＨの無線資源へのマッピングとビット単位スクランブリングのためのスクランブリングシーケンス生成に仮想セルＩＤを使用することができる。
【０１０４】
ＲＲＨ−ＰＲＳの導入
本発明の一実施例による多重送受信ポイントを使用するダウンリンク通信方法では、端末の位置確認正確度を高めるために新しい参照信号を導入する。本発明では、前述した新しい参照信号をＲＲＨ−ＰＲＳと称する。
【０１０５】
同じセルに属する複数の送受信ポイントは、端末の位置確認のためにＲＲＨ−ＰＲＳを伝送することができる。ここで、各送受信ポイントは、ＲＲＨ−ＰＲＳのシーケンス生成とＲＲＨ−ＰＲＳの無線資源マッピングに仮想セルＩＤを使用することができる。
【０１０６】
ＣＳＩ参照信号基盤測定
本発明の一実施例による多重送受信ポイントを使用するダウンリンク通信方法では、ＣＳＩ参照信号（ＣＳＩＲＳ）基盤の測定を行う。
【０１０７】
図４は、本発明の一実施例による多重送受信ポイントを使用するダウンリンク通信方法のうちＣＳＩ参照信号基盤測定過程を示す流れ図である。
【０１０８】
図４を参照すれば、まず、基地局１１０は、端末別にＣＳＩ参照信号測定情報を伝送する（段階Ｓ４１０）。ここで、ＣＳＩ参照信号測定情報には、各送受信ポイントで伝送するＣＳＩ参照信号の全体または一部のＣＳＩ参照信号に該当する設定情報が含まれることができ、あらかじめ定義されたマッピング規則に従って前記設定情報から端末１７０がＣＳＩ参照信号の時間−周波数空間の無線資源パターン情報を把握することができるように設定される。
【０１０９】
基地局１１０から伝送されたＣＳＩ参照信号測定のための情報を受信した端末１７０は、ＣＳＩ参照信号測定情報に含まれたＣＳＩ参照信号に対して測定を行い（段階Ｓ４２０）、測定結果を基地局１１０に伝送する（段階Ｓ４３０）。
【０１１０】
基地局１１０は、端末１７０から受信した測定結果に基づいて端末１７０が測定しなければならないＣＳＩ参照信号パターンまたはＣＳＩ参照信号パターンを決定し（段階Ｓ４４０）、決定したＣＳＩ参照信号パターンまたはＣＳＩ参照信号パターンを端末１７０に伝送する（段階Ｓ４５０）。
【０１１１】
端末１７０は、基地局１１０から受信したＣＳＩ参照信号パターンまたはＣＳＩ参照信号パターンを利用してリンク適応（Ｌｉｎｋ  Ａｄａｐｔａｔｉｏｎ）のためのＣＳＩを獲得し（段階Ｓ４６０）、獲得したＣＳＩを基地局１１０に報告する（段階Ｓ４７０）。
基地局１１０は、端末１７０から受信したＣＳＩに基づいてリンク適応を行う（段階Ｓ４８０）。
【０１１２】
複数送受信ポイントの協力伝送
本発明の一実施例による多重送受信ポイントを使用するダウンリンク通信方法では、基地局が複数の送受信ポイントを利用して端末にデータまたは制御情報を伝送する協力多重送受信ポイント伝送を行うことができる。
【０１１３】
以下、本発明の一実施例による多重送受信ポイントを使用するダウンリンク通信方法で端末に対して協力伝送を行う複数の送受信ポイントの集合を「協力ポイント集合」と称する。
【０１１４】
図５は、本発明の一実施例による多重送受信ポイントを使用するダウンリンク通信方法で協力多重ポイント伝送を行う過程を示す流れ図である。
【０１１５】
まず、基地局１１０は、各端末１７０からチャネル状態情報を受信する（段階Ｓ５１０）。
【０１１６】
その後、基地局１１０は、受信したチャネル状態情報に基づいて端末１７０に対する協力多重送受信ポイント伝送を行う協力ポイント集合を決定する（段階Ｓ５２０）。すなわち、協力ポイント集合は、各端末１７０のチャネル環境によって端末１７０別に異なるように設定されることができる。
【０１１７】
端末１７０に対して協力多重送受信ポイント伝送を行う協力ポイント集合に含まれた複数の送受信ポイント１５１、１５３は、同一のデータを同一の無線資源を利用して端末１７０に伝送する伝送信号を生成した後（段階Ｓ５３０）、生成した伝送信号と端末１７０の復調のための端末固有参照信号を一緒に端末１７０に伝送する（段階Ｓ５４０）。
【０１１８】
ここで、協力多重送受信ポイント伝送を行う複数の送受信ポイントは、前記端末固有参照信号をも同時に伝送しなければならないし、互いに同一の参照信号シーケンスを使用しなければならない。このために、協力多重送受信ポイント伝送を行う複数の送受信ポイントは、基地局が端末に通知した仮想セルＩＤを利用して生成したＰＤＳＣＨと端末固有参照信号シーケンスを伝送する。
【０１１９】
以下では、すべての送受信ポイントが同じセルに属し、同じセルＩＤが割り当てられた場合の本発明の一実施例による多重送受信ポイントを使用するアップリンク通信方法を説明する。  
【０１２０】
本発明の一実施例による多重送受信ポイントを使用するアップリンク通信方法で端末は、アップリンクを通じてＰＵＳＣＨ（Ｐｈｙｓｉｃａｌ  Ｕｐｌｉｎｋ  Ｓｈａｒｅｄ  Ｃｈａｎｎｅｌ）、ＰＵＣＣＨ（Ｐｈｙｓｉｃａｌ  Ｕｐｌｉｎｋ  Ｃｏｎｔｒｏｌ  Ｃｈａｎｎｅｌ）、ＰＲＡＣＨ（Ｐｈｙｓｉｃａｌ  Ｒａｎｄｏｍ  Ａｃｃｅｓｓ  Ｃｈａｎｎｅｌ）、ＤＭＲＳ（Ｄｅｍｏｄｕｌａｔｉｏｎ  Ｒｅｆｅｒｅｎｃｅ  Ｓｉｇｎａｌ）、ＳＲＳ（Ｓｏｕｎｄｉｎｇ  Ｒｅｆｅｒｅｎｃｅ  Ｓｉｇｎａｌ）を伝送することができる。
【０１２１】
ＰＵＳＣＨ、ＰＵＣＣＨ、ＤＭＲＳ、ＳＲＳの場合、ＬＴＥ  Ｒｅｌｅａｓｅ−８／９、ＬＴＥ−Ａｄｖａｎｃｅｄ  Ｒｅｌｅａｓｅ−１０規格によれば、下記のような機能のために物理階層セルＩＤを利用して信号を生成するようになる。
−ＰＵＳＣＨのスクランブリングシーケンス生成
−ＰＵＣＣＨフォーマット１、１ａ、１ｂ、２、２ａ、２ｂのセル固有シンボル単位サイクリックシフトホッピング（Ｃｅｌｌ−Ｓｐｅｃｉｆｉｃ  Ｓｙｍｂｏｌ−Ｌｅｖｅｌ
Ｃｙｃｌｉｃ  Ｓｈｉｆｔ  Ｈｏｐｐｉｎｇ）
−ＰＵＣＣＨフォーマット３のビット単位スクランブリングシーケンス生成、セル固有ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）シンボル単位サイクリックシフトホッピング（Ｃｅｌｌ−Ｓｐｅｃｉｆｉｃ  Ｃｙｃｌｉｃ  Ｓｈｉｆｔ  Ｈｏｐｐｉｎｇ）、セル固有ＳＣ−ＦＤＭＡシンボル単位スクランブリング
−ＳＲＳとＤＭ  ＲＳのベースシーケンスホッピング（Ｂａｓｅ−Ｓｅｑｕｅｎｃｅ  Ｈｏｐｐｉｎｇ）、シーケンスグループホッピング（Ｓｅｑｕｅｎｃｅ−Ｇｒｏｕｐ  Ｈｏｐｐｉｎｇ）とシーケンスホッピング（Ｓｅｑｕｅｎｃｅ  Ｈｏｐｐｉｎｇ）
−ＰＵＳＣＨ  ＤＭ  ＲＳの参照信号シーケンス生成、セル固有スロット単位サイクリックシフトホッピング（Ｃｅｌｌ−Ｓｐｅｃｉｆｉｃ  Ｓｌｏｔ−Ｌｅｖｅｌ  Ｃｙｃｌｉｃ  Ｓｈｉｆｔ  Ｈｏｐｐｉｎｇ）
−ＰＵＣＣＨ  ＤＭ  ＲＳのセル固有サイクリックシフトホッピング（Ｃｅｌｌ−Ｓｐｅｃｉｆｉｃ  Ｓｙｍｂｏｌ−Ｌｅｖｅｌ  Ｃｙｃｌｉｃ  Ｓｈｉｆｔ  Ｈｏｐｐｉｎｇ）
【０１２２】
ＬＴＥ  Ｒｅｌｅａｓｅ−８／９／１０規格を支援する端末は、当該支援規格によって信号を生成するので、端末が同じ物理階層セルＩＤを利用して前述した信号を生成して伝送するようになる。
【０１２３】
また、周波数利用効率を高めるために端末が使用する資源を端末の位置によって再使用することもできる。すなわち、相対的に干渉の影響を少なく及ぶ端末は、同じ資源を利用して前述した信号を伝送することができる。
【０１２４】
または、周波数資源を空間的に再利用して周波数利用効率を高めるために、端末が使用する資源を端末から伝送された信号を受信する送受信ポイントを基準にして再使用することもできる。
【０１２５】
本発明の一実施例による多重送受信ポイントを使用するアップリンク通信方法では、端末が仮想セルＩＤを利用してアップリンク伝送を行う方法を提供する。
【０１２６】
具体的に、端末は、基地局から仮想セルＩＤを割り当てられ、割り当てられた仮想セルＩＤを物理階層セルＩＤの代わりに適用し、一部あるいはすべてのアップリンクチャネル及び信号（例えば、ＰＵＳＣＨ、ＰＵＣＣＨ、ＤＭＲＳ、ＳＲＳ）を生成し、生成した信号を伝送する。
【０１２７】
前述したように、本発明の一実施例による多重送受信ポイントを使用するアップリンク通信方法では、互いに隣接する送受信ポイントに属する端末が互いに異なる仮想セルＩＤを使用するようにすることによって、送受信ポイント間の受信信号に対する干渉を緩和することができる効果を得ることができる。
【０１２８】
また、前述したようなアップリンク伝送方法を通じてそれぞれの送受信ポイントが固有の物理階層セルＩＤを有するセルを形成する効果を得ることができる。すなわち、同じセルに属する互いに異なる送受信ポイントに属する端末が互いに異なるセルに属する効果がある。
【０１２９】
前述した本発明の一実施例による多重送受信ポイントを使用するアップリンク通信方法は、ＬＴＥ−Ａｄｖａｎｃｅｄ  Ｒｅｌｅａｓｅ−１１標準規格またはその以後の標準規格に導入することができ、前記標準規格を支援する端末に適用されることができる。
【０１３０】
但し、ＬＴＥ−Ａｄｖａｎｃｅｄ  Ｒｅｌｅａｓｅ−１１標準規格またはその以後の標準規格を支援する端末のうち仮想セルＩＤを割り当てられない端末の場合には、物理階層セルＩＤを利用して前述したチャネルと信号を生成することができる。
【０１３１】
例えば、端末がセルに初期ランダムアクセスをする場合には、仮想セルＩＤを割り当てられない状態であるから、ランダムアクセスメッセージ伝送及びＰＵＣＣＨ  ＡＣＫ／ＮＡＫ伝送などに物理階層セルＩＤを使用することができる。
【０１３２】
以上、実施例を参照して説明したが、当該技術分野の熟練された当業者は、下記の特許請求の範囲に記載された本発明の思想及び領域から逸脱しない範囲内で本発明を多様に修正及び変更させることができることを理解することができる。
【符号の説明】
【０１３３】
１１０  基地局
１３０  広域送受信ポイント
１５０  狭域送受信ポイント
１５１  送受信ポイント１
１５３  送受信ポイント２
１７０  端末
１７１  端末１
１７３  端末２
【図１】
2015181292.tif 000003
【図２】
2015181292.tif 000004
【図３】
2015181292.tif 000005
【図４】
2015181292.tif 000006
【図５】
2015181292.tif 000007